(57)【特許請求の範囲】
【請求項１】
筒状の胴と、
該胴の外周に設けられて該胴を長さが略等しい２部分に区切るフランジ部と、
音を通すための穴が設けられていて、各々が前記胴の各端を閉じる一対の閉端板と、
前記胴の外周面の該胴の軸に沿った延長面からはみ出さない範囲で前記胴の一方の端部側に配された灰皿と、
前記胴の内部に配されたスピーカと
を有する遊技機のスピーカケース。
【請求項２】
遊技者に対面する面に請求項１記載の遊技機のスピーカケースの胴を通過させ前記フランジ部は通過させないスピーカケース取付穴を設け、
前記フランジ部によって２部分に区切られた前記胴の一方部分を前記スピーカケース取付穴に挿通させ、該胴の他方部分及び前記フランジ部を遊技機の内部に留めて前記スピーカケースを取り付けた
ことを特徴とする遊技機。
【発明の詳細な説明】
【０００１】
【発明の属する技術分野】
本発明は、パチンコ機に代表される弾球遊技機、スロットマシンに代表される回胴式遊技機等の遊技機の技術分野に属し、特に灰皿の取付構造に関する。
【０００２】
【従来の技術および発明が解決しようとする課題】
弾球遊技機や回胴式遊技機には、例えば前面側の左下隅等に灰皿が取付けられていた。灰皿自体は遊技には必要ない部品であるが、喫煙者の要望もあって装着されているもので、遊技に関わる部品の有効配置という面から見れば邪魔であった。
【０００３】
一方、最近では喫煙しない人も多く、遊技店ではそのような遊技客のために禁煙席を設けるようになってきた。
しかし、遊技機に灰皿が取付けられたままであると、その遊技機が禁煙に指定されていることを知らずに喫煙してしまう遊技客も少なくなかった。そのため、例えば灰皿を金属板等で閉鎖して使用できなくして、禁煙に指定されていることを明瞭に示すことが行われていた。
【０００４】
ところが、この灰皿の閉鎖のような手段を採用すると、新規に遊技機を購入する度に金属板の取付作業を行わねばならず、また非喫煙者用に使用していた遊技機を喫煙者用に使用する際には金属板を取り外す作業が必要であった。このような灰皿の閉鎖と開放のための作業は、金属板で閉鎖する以外の手段を採用した場合でも同様に必要であった。
【０００５】
本発明は、かかる状況を背景としてなされたものであり、遊技機を禁煙用と喫煙用とに切り換える作業を簡単にし、且つ遊技機の部品の実装スペースの利用効率の向上を図ることを目的としている。
【０００６】
【課題を解決するための手段および発明の効果】
上記課題を解決するための請求項１記載のスピーカケースは、
筒状の胴と、
該胴の外周に設けられて該胴を長さが略等しい２部分に区切るフランジ部と、
音を通すための穴が設けられていて、各々が前記胴の各端を閉じる一対の閉端板と、
前記胴の外周面の該胴の軸に沿った延長面からはみ出さない範囲で前記胴の一方の端部側に配された灰皿と、
前記胴の内部に配されたスピーカと
を有するので、胴を通過させるがフランジ部は通過させない貫通穴を遊技機の前面に設けておけば、スピーカケースの胴の一方側を遊技機の内側から外側に向けて貫通穴に挿通できる。フランジ部はこの貫通穴を通過しないから、胴の他の側は遊技機内に留められる。
【０００７】
遊技機を喫煙者用にするには、灰皿が配されている側を貫通穴に挿通して、灰皿を遊技機の前面に露出させればよい。逆に、灰皿のない側を貫通穴に挿通して、灰皿を遊技機の内部側に留めれば、非喫煙者用にできる。すなわち、スピーカケースをどちら向きで挿通させるかにより、喫煙者用と非喫煙者用とに簡単に切り換えできるから、例えば金属板をボルト等で着脱する作業は必要とせず、切換作業は極めて簡単である。
【０００８】
しかも、スピーカケースの胴にはスピーカが配されているから、灰皿を使用してもしなくても、灰皿のための領域をスピーカの設置領域として利用できることになり、遊技機の部品の実装スペースの利用効率が向上する。
また、請求項２記載の遊技機は、遊技者に対面する面に請求項１記載の遊技機のスピーカケースの胴を通過させそのフランジ部は通過させないスピーカケース取付穴を設け、前記フランジ部によって２部分に区切られた前記胴の一方部分を前記スピーカケース取付穴に挿通させ、該胴の他方部分及び前記フランジ部を遊技機の内部に留めて前記スピーカケースを取り付けたので、上述のように、喫煙者用と非喫煙者用との切換作業は極めて簡単で、部品の実装スペースの利用効率が向上する。
【０００９】
【発明の実施の形態】
次に、本発明をパチンコ機に適用した具体例を図面を参照して説明することにより発明の実施の形態を説明する。
【００１０】
【具体例】
本具体例のパチンコ機１０は、外枠１２にヒンジ１４を介して連結された前面枠１６を備えており、その前面枠１６にはガラス枠１８および皿扉２０が開閉可能に取付けられている。ガラス枠１８は遊技盤２２の前面を覆うガラスを保持し、皿扉２０は上皿２４を保持している。
【００１１】
また前面枠１６の下部にはプラスチック製の皿保持部材２６が取付けられている。この皿保持部材２６の中央部には上皿２４が満杯状態になったときに使用される下皿２８が設置され、向かって右端には発射装置（図示しない）を操作するための発射ハンドル３０が取付けられている。そして、下皿２８の向かって左側には、スピーカケース３２が取付けられている。
【００１２】
図２に示すように、スピーカケース３２は、円筒状の胴３４、この胴３４の外周に設けられて胴３４を灰皿側３４ａとメッシュ側３４ｂとに区切るフランジ部３６、胴３４の一方の端部から突出する一対の腕３８、これらの腕３８によって支持される灰皿４０を備えている。胴３４の灰皿側３４ａの端面には複数の通音穴４２が設けられており、メッシュ側３４ｂの端は微小な穴が多数設けられたメッシュ板４４にて閉じられている。なお、胴３４は、灰皿側３４ａおよびメッシュ側３４ｂにわたった同径である。また、図７に示すとうに、胴３４の内部は空洞となっていて、その空洞内にスピーカ３５が収容されている。このスピーカ３５から発される音は、主に通音穴４２およびメッシュ板４４を通して外部に伝達される。
【００１３】
図５に示すように、皿保持部材２６には、スピーカケース３２の胴３４の外径に整合する内径のスピーカケース取付穴４６が貫設されており、このスピーカケース取付穴４６に灰皿側３４ａまたはメッシュ側３４ｂを嵌入させ、また抜き取ることができる。なお、図７に示されるように、前面枠１６にはスピーカケース取付穴４６とほぼ同軸、同径の貫通穴４７が設けられており、スピーカケース３２をスピーカケース取付穴４６に嵌入し、抜き取るのに支障はない。また、フランジ部３６に設けられている突起３７は、これを前面枠１６の裏面に設置された係合部（図示略）に係合させて、スピーカケース３２の脱落を防止するものである。
【００１４】
そして、スピーカケース３２の灰皿側３４ａをスピーカケース取付穴４６に嵌入させ、図７に示されるようにフランジ部３６を前面枠１６の裏面に当接させれば、図３および図４に示すように、灰皿４０が皿保持部材２６の前面に突出する。すなわち、パチンコ機１０の前面から灰皿４０が突出する。このとき、図４および図７に示されるように、フランジ部３６およびメッシュ側３４ｂは、前面枠１６の裏面側（すなわちパチンコ機１０の内部）に留まる。
【００１５】
また、図３、図４および図７に示される状態からスピーカケース３２を抜き取り（図５参照）、前後反転させて、メッシュ側３４ｂをスピーカケース取付穴４６に嵌入させ、フランジ部３６を前面枠１６の裏面に当接させれば、図６に示すように、メッシュ側３４ｂの端部が皿保持部材２６の前面に露出され、灰皿４０は、前面枠１６の裏面側（すなわちパチンコ機１０の内部）に留まる。
【００１６】
したがって、パチンコ機１０を喫煙者用に使用するときには、図３、図４および図７に示されるように、灰皿４０をパチンコ機１０の前面に突出させて使用可能にでき、非喫煙者用（禁煙席）として使用する場合には、図６に示されるように、メッシュ側３４ｂを前面に露出させ、灰皿４０をパチンコ機１０の内部に留めることができる。この喫煙者用、非喫煙者用の切換は、スピーカケース３２を抜き取って前後反転させて再び差し込むだけでできるから、その作業は極めて簡単である。また、灰皿４０を使用しないときには、灰皿４０に代わってメッシュ側３４ｂが遊技者側になるので、パチンコ機１０の美観を損なうこともない。
【００１７】
しかも、実質的に灰皿４０とスピーカの実装スペースが共用されるので、パチンコ機１０における部品の実装スペースの利用効率が向上する。
以上、具体例に従って、本発明の実施の形態について説明したが、本発明はこのような具体例に限定されるものではなく、本発明の要旨を逸脱しない範囲でさまざまに実施できることは言うまでもない。
【００１８】
例えば、フランジ部は、具体例では胴を一周する一連の部材としているが、これを例えば半周分や１／４周分の複数部分に分割してもよいし、それら分割した部分間に隙間を設けてもよい。要は、フランジ部がスピーカケース取付穴を通過しなければよいのである。
【００１９】
また、本発明は具体例で示したパチンコ機に限らず、他の形態の弾球遊技機あるいは回胴式遊技機、その他各種の遊技機に適用できる。
【図面の簡単な説明】
【図１】  具体例のパチンコ機の正面図である。
【図２】  具体例のパチンコ機のスピーカケースの構造の説明図であり、図２（ａ）は灰皿側からの斜視図、図２（ｂ）はメッシュ側からの斜視図である。
【図３】  具体例のパチンコ機において灰皿を使用する際の皿保持部材の前面側斜視図である。
【図４】  具体例のパチンコ機において灰皿を使用する際の皿保持部材の背面側斜視図である。
【図５】  具体例のパチンコ機において、皿保持部材にスピーカケースを抜き差しする際の説明図である。
【図６】  具体例のパチンコ機において灰皿を使用しないときの皿保持部材の前面側斜視図である。
【図７】  具体例のパチンコ機において灰皿を使用可能としたときのスピーカケース付近の縦断面図である。
【符号の説明】
１０…パチンコ機（遊技機）    １２…外枠    １６…前面枠
１８…ガラス枠    ２０…皿扉    ２２…遊技盤    ２４…上皿
２６…皿保持部材    ２８…下皿    ３０…発射ハンドル
３２…スピーカケース    ３４…胴    ３４ａ…灰皿側
３４ｂ…メッシュ側    ３５…スピーカ    ３６…フランジ部
３７…突起    ３８…腕    ４０…灰皿    ４２…通音穴
４４…メッシュ板    ４６…スピーカケース取付穴    ４７…貫通穴
【図１】
0003923623.tif 000002
【図２】
0003923623.tif 000003
【図３】
0003923623.tif 000004
【図４】
0003923623.tif 000005
【図５】
0003923623.tif 000006
【図６】
0003923623.tif 000007
【図７】
0003923623.tif 000008